(57)【要約】 【課題】弁当、惣菜等の食品を個装して陳列販売する場合に、故意或いは悪戯により他人が一旦開封したことを判断できる構成を有する改ざん防止帯かけ容器を提供する。【解決手段】プラスチック製本体の外周に延出したフランジが、少なくとも１か所において、本体フランジと同一平面上を内方に迂曲した迂曲部となっている容器本体に、該本体フランジと一致する蓋フランジを有し、内周に容器本体上部内周と嵌合する嵌合溝を設けた蓋を被せ、上記迂曲部を通過する少なくとも一方の端縁部に易引裂加工を施した結紮テープで結紮し、一体化する。【選択図】  図１
2009132440.tif 000002
【特許請求の範囲】
【請求項１】
プラスチック製本体の外周に延出したフランジが、少なくとも１か所において、本体フランジと同一平面上を内方に迂曲した迂曲部となっている容器本体に、該本体フランジと一致する蓋フランジを有する蓋を被せ、上記迂曲部を通過する結紮テープで結紮し、一体化したことを特徴とする改ざん防止帯かけ容器。
【請求項２】
迂曲部を有する辺の本体フランジと平行な平行部が、迂曲部の中央部に形成されていることを特徴とする請求項１記載の改ざん防止帯かけ容器。
【請求項３】
蓋及び結紮テープが透明なプラスチック製であり、結紮テープが両面熱融着性であり、結紮テープを１回巻回し、両端を重ね合わせて熱融着により結紮されていることを特徴とする請求項１又は２記載の改ざん防止帯かけ容器。
【請求項４】
結紮テープの少なくとも一方の端縁部に、必要時に手で引裂くことができる易引裂加工が施されていることを特徴とする請求項１ないし請求項３のいずれかに記載する改ざん防止帯かけ容器。
【請求項５】
易引裂加工が結紮テープの端縁部に多数の微細な傷を密集して設ける方法であることを特徴とする請求項４記載の改ざん防止帯かけ容器。
【請求項６】
本体フランジ及び蓋フランジの迂曲部の平行部の幅が、結紮テープの幅よりも長いことを特徴とする請求項２ないし請求項５のいずれかに記載する改ざん防止帯かけ容器。
【請求項７】
本体及び蓋フランジの迂曲部に加えるに、容器本体及び／又は蓋の角部に、結紮テープが通過できる凹部を設けたことを特徴とする請求項２ないし請求項６のいずれかに記載する改ざん防止帯かけ容器。
【請求項８】
蓋フランジの内周に、容器本体上部内周と嵌合する嵌合溝を設けたことを特徴とする請求項１ないし７に記載する改ざん防止帯かけ容器。
【発明の詳細な説明】
【技術分野】
【０００１】
本発明は弁当、惣菜等の食品を個装して陳列販売する場合に、故意或いは悪戯により他人が一旦開封したことを判断できる構成を有する改ざん防止帯かけ容器に関する。
【背景技術】
【０００２】
近時、弁当や惣菜等の食品を使い捨てプラスチック容器に収納し、蓋を被せて販売する形態が汎用されている。コンビニエンスストアやスーパーマーケット等ではラップフィルムで包んだり、シュリンクフィルムで包装したりして販売されている。弁当や惣菜等の内容物は種々のものがあるため、消費者が内容物の種類、品質等を速やかに判断できるように透明な蓋が用いられている。
【０００３】
弁当、惣菜類等の食品の流通が増加するにつれ、容器本体と蓋をまとめて包装するプラスチック包装材を低減しようとする試みがなされている。そのため、容器本体と蓋をまとめて透明なプラスチック製の結紮テープで固定する方法が試みられた。この方法は透明なプラスチックテープを用いて容器本体と蓋を一体化し結紮テープを巻回し、重なった部位の下に位置する一端の上部と、上に位置する一端の下部とを熱融着する、所謂封筒張りと言われる方法である。したがって、結紮テープは両面熱融着性であることが望ましい。
【０００４】
この方法は環状に結紮されたテープを容器に沿ってずらすことにより、容易に開封できると共に、透明な結紮テープを使用すれば、消費者は外観から容器の内容物を詳細に観察することができる。
しかしながら、この方法は結紮テープをずらして蓋を開けた後に、再度結紮テープを戻すことにより、一旦開封された事実を外観から判断することができない。このことは悪意の人が商品を一旦開封して内容物に不純物を加えたり、内容物の一部を抜き取ったりしても、他の消費者はこの事実を判断することができない。すなわち改ざんが容易であることを意味する。
【０００５】
改ざん防止の食品容器としては、特許文献１には蓋を開くことにより、蓋の一部が折れ曲がる食品容器が開示されている。又、特許文献２には容器本体と蓋とを二重に嵌合させることにより、一回の開封により、開封した事実が外観上判明する改ざん防止性と開封後も残った嵌合手段によりリパック性を併有した食品容器が開示されている。
本発明は食品容器と蓋を帯かけ封止し、容器や蓋の形状のわずかな改良で改ざんを防止できる新規な方法を提供することを目的とする。
【特許文献１】特開２００２−０６８３０６号公報
【特許文献２】特開２００６−３０６４７５号公報
【発明の開示】
【発明が解決しようとする課題】
【０００６】
本発明は対面販売でなく、顧客が自由に手にとって商品に接触することができるコンビニエンスストアやスーパーマーケット等に提供する商品において求められていた。弁当や惣菜等の容器本体と蓋とからなる食品容器に内容物を装入した後、外から透明な結紮テープで一重に帯かけする簡易な包装形態であって、しかも、結紮テープを破らない限り開封することができない技術を開示する。
【課題を解決するための手段】
【０００７】
本発明の構成は、プラスチック製本体の外周に延出したフランジが、少なくとも１か所において、本体フランジと同一平面上を内方に迂曲した迂曲部となっている容器本体に、該本体フランジと一致する蓋フランジを有し、内周に容器本体上部内周と嵌合する嵌合溝を設けた蓋を被せ、上記迂曲部を通過する少なくとも一方の端縁部に易引裂加工を施した結紮テープで結紮し、一体化したことを特徴とする。
【０００８】
すなわち、使い捨てのプラスチック容器は成型の都合上、容器本体や蓋の外周に、外方に突出したフランジを設けている。また、フランジは内容物の汁の放出を防ぐためにも必要な容器及び蓋の一部である。容器を帯かけ結紮すると本体フランジと蓋フランジが重なった部位の外に帯かけすることになる。
本発明は外方に突出しているフランジを欠落させることなく、内方に迂曲させることにより容器本体にくびれを生じさせたものである。くびれ部を通過させて容器をテープで結紮すると、テープは他の部位より短い長さで結紮されることになる。その結果、結紮テープを環状のまま蓋を被せた容器本体の他の面にずらすことが不能になり、結紮テープを破らずに容器を開封することができない。
【０００９】
本発明はフランジ迂曲部を有する容器と蓋に限らず、容器の底等の角張った部位を、結紮テープの幅よりもわずかに広い幅に凹ませて凹部を形成した形状にすることにより、帯かけ包装の内容物の改ざんを防止することができる。
【発明の効果】
【００１０】
本発明は、ラップ包装やシュリンク包装のように大量のプラスチック素材を使用せずに少量の結紮テープで簡易に包装でき、改ざんを防止できる。本発明により、容器に内容物を装入し蓋を被せ、通常の自動帯かけ機を使用して帯かけするのみで、内容物の視認性に優れ、作業が容易で、改ざんを防止できる食品包装容器を提供することができる。
【発明を実施するための最良の形態】
【００１１】
本発明の容器本体及び蓋は、塩化ビニル、ポリプロピレン、ポリスチレン、ポリエチレン、ブタジエン、ポリエステル、ポリアミド等のプラスチックこれらの共重合体、ポリマーブレンド等からなる容器である。一般にはシート成型した容器が使用される。周囲にフランジを延出した形状である。容器本体と蓋は同一素材であっても異種素材であってもよい。容器本体は透明であっても不透明であってもよいが蓋は透明であることが好ましい。容器本体には仕切り壁や凹凸模様等を任意に設けることができる。
【００１２】
図１は本発明の１実施例の斜視図であり、図２は容器本体の平面図である。
１は容器本体であり、シート成型により成型加工され、図面では省略したが、一般に種々の凹凸模様が施され、場合によっては仕切りが設けられている。外周には肉厚な本体フランジ２が水平に外方に延出している。図１は本体フランジと一致する形状の蓋フランジ３を水平に延出した、容器本体と似た形状の透明な蓋を被せた状態である。本体フランジ２と蓋フランジ３を一体に図示した。
【００１３】
４は底であり、５は傾斜した側面である。迂曲部６は短辺でも中央部以外であっても差支えないが、図２においては、容器本体の一対の長辺のフランジの中央部に設けた。迂曲部６は他の部位のフランジと同一平面上にあり、そのまま内方に凹んでいる状態である。内容物が水分を含む場合に液漏れを防ぐために容器本体の全周をフランジで囲むことが必要である。迂曲部６の中央部には他の長辺フランジと平行な平行部７を設け、平行部７の外縁を結紮テープ８の通路とし、くびれた部分を結紮した形状である。９は易引裂加工部である。図１においては両脇に設けたが、一方の端部であってもよい。結紮テープ８は可及的に最短部を通過させることが好ましい。
【００１４】
蓋は図１においては、中央部が高くなった容器本体に似た形状を示したが、蓋フランジ３の形状が本体フランジの形状と一致する限り形状に限定はなく、平面状であっても凹んでいても差支えない。
本発明は蓋を被せた容器本体を透明な結紮テープ８で結紮する。結紮テープ８はポリエステル、ポリプロピレン等のプラスチック製であり、自動帯かけ機に装着できるような充分なコシを有するやや固めのテープ素材で透明であることが好ましい。一般にほぼ方形の容器に帯かけする場合には、短い辺の中央部に帯かけする。楕円形の場合には短い径の中央部に行う。
【００１５】
迂曲部６は単にフランジが迂曲しているのみでなく、迂曲部を設けた辺のフランジと平行な平行部７を中央部に有することが望ましい。平行部は可及的に長くすることにより、結紮テープがくびれ部位に安定して帯かけされる。平行部７を結紮テープの幅よりやや広い形状とすると、迂曲部６の平行部７に結紮テープを当接させて結紮すれば結紮テープが迂曲部６に食い込んで短く安定に結紮されることになる。その結果、結紮テープを外す場合には迂曲部を設けていない部位に当接して環状のまま移動させることが不可能になる。結紮テープ８を破る以外には蓋を開く方法がなく、改ざんを防止することができる。
【００１６】
開封を容易にするために、結紮テープの少なくとも一方の端縁部に易開封加工部９を設ける。フィルム自体が任意の方向に破れる素材もあるが、流通過程での保存性を考えれば、故意にひねり応力を加えた場合にのみ破れることが好ましい。結紮テープの端縁線に沿って肉眼では見ることが困難なような微細な多数の傷を設けることが好ましい。このような傷は多くの微細でシャープな突起を円周面に有する加工具で結紮テープの端縁部を加工することによって得られる。
【００１７】
市販の自動帯かけ機は、帯かけする結紮テープを巻出して、容器を１周させ、結紮テープが重なった部位を融着し、外側にある結紮テープを切断する。この方法は下にある結紮テープ端部の上面と、上にある結紮テープの下面とを融着する方法であるため、結紮テープは両面熱融着性であることを要する。熱融着性層としては、ポリエチレン、特に低密度線状ポリエチレンが好ましく使用される。
【００１８】
図３は容器本体に蓋が被さる状態を示した説明図である。本体フランジ２と蓋フランジ３は一致する形状であるため、蓋１０を図３の矢印方向に下げれば本体フランジ２に蓋フランジ３が重なり蓋を閉めることができる。しかしながら、単に重ねたのみでは不安定であり、横ずれする可能性がある。蓋フランジ３の内方に嵌合溝１１を折り曲げて形成することが好ましい。嵌合溝１１は本体フランジと蓋フランジが当接した状態で、容器本体１内に入り込み、側壁５を外方に押す力となって容器本体と蓋を安定に一体化させる。
【００１９】
蓋の角部を凹ませて成形した実施例を図４に示した。凹部１２は結紮テープ８が容易に通過できる幅を有することを要する。このように結紮テープ８が通過できる凹部１２を設けることによっても本発明の目的を達成できる。
図２においては迂曲部６を対向する２辺に設けたが、一方の辺のみであってもよい。更に、容器本体の底部と側面との境界部の結紮テープが接触する部位に図４に示した凹部１２を設けることもできる。
【図面の簡単な説明】
【００２０】
【図１】図１は本発明の１実施例の斜視図である。
【図２】図２は容器本体の平面図である。
【図３】図３は容器本体に蓋が被さる状態を示した説明図である。
【図４】図４は他の実施例の斜視図である。
【符号の説明】
【００２１】
１  容器本体
２  本体フランジ
３  蓋フランジ
４  底
５  側面
６  迂曲部
７  平行部
８  結紮テープ
９  易引裂加工部
１０  蓋
１１  嵌合溝
１２  凹部
【図１】
2009132440.tif 000003
【図２】
2009132440.tif 000004
【図３】
2009132440.tif 000005
【図４】
2009132440.tif 000006